(57)【要約】      （修正有）【課題】吊り上げベルトに対して容器本体から離れる方向に一定以上の力が加わったとしても、吊り上げベルトが吊り耳から外れることを確実に防止する柱上変圧器の吊り上げ補助装置を提供する。【解決手段】容器本体の側面から突出し、容器本体の上側に向かう側に形成される第１（第２）上側窪みと、容器本体の下側に向かう側に形成される第１（第２）下側窪みと、を有する第１（第２）吊り耳と、を備える柱上変圧器の吊り上げ補助装置であって、第１（第２）上側窪みに係止する第１（第２）上側係止片と、第１（第２）下側窪みに係止する第１（第２）下側係止片と、吊り上げベルトの一端（他端）に形成される輪が第１（第２）吊り耳に挿通された後に第１（第２）吊り耳から外れなくなるように、第１（第２）輪を挟んで第１（第２）吊り耳と対向する第１（第２）延在片）と、を一体に形成し、第１（第２）吊り耳に装着される第１（第２）装着体、を備える。【選択図】図５
2019137525.tif 000002
【特許請求の範囲】
【請求項１】
容器本体の側面から突出し、前記容器本体の上側に向かう側に形成される第１上側窪みと、前記容器本体の下側に向かう側に形成される第１下側窪みと、を有する第１吊り耳と、前記容器本体の前記第１吊り耳が突出する側面とは反対側の側面から突出し、前記容器本体の上側に向かう側に形成される第２上側窪みと、前記容器本体の下側に向かう側に形成される第２下側窪みと、を有する第２吊り耳と、を備える柱上変圧器の吊り上げ補助装置であって、
前記第１上側窪みに係止する第１上側係止片と、前記第１下側窪みに係止する第１下側係止片と、前記柱上変圧器の吊り上げベルトの一端に形成される第１輪が前記第１吊り耳に挿通された後に前記第１吊り耳から外れなくなるように、前記第１輪を挟んで前記第１吊り耳と対向する第１延在片と、を一体に形成し、前記第１吊り耳に装着される第１装着体と、
前記第２上側窪みに係止する第２上側係止片と、前記第２下側窪みに係止する第２下側係止片と、前記柱上変圧器の吊り上げベルトの他端に形成される第２輪が前記第２吊り耳に挿通された後に前記第２吊り耳から外れなくなるように、前記第２輪を挟んで前記第２吊り耳と対向する第２延在片と、を一体に形成し、前記第２吊り耳に装着される第２装着体と、
備えたことを特徴とする柱上変圧器の吊り上げ補助装置。
【請求項２】
前記第１装着体は、前記第１吊り耳の大きさに応じて、前記第１上側係止片と前記第１下側係止片との間の距離を調整する第１調整部材を有し、
前記第２装着体は、前記第２吊り耳の大きさに応じて、前記第２上側係止片と前記第２下側係止片との間の距離を調整する第２調整部材を有する
ことを特徴とする請求項１に記載の柱上変圧器の吊り上げ補助装置。
【請求項３】
前記第１調整部材は、前記第１上側係止片と前記第１下側係止片との間の距離を調整する第１螺子部材を有し、
前記第２調整部材は、前記第２上側係止片と前記第２下側係止片との間の距離を調整する第２螺子部材を有する
ことを特徴とする請求項２に記載の柱上変圧器の吊り上げ補助装置。
【請求項４】
前記第１調整部材は、
前記第１上側係止片と一体に形成され、前記容器本体の側面から離れる方向に延在する第１上側板と、
前記第１下側係止片と一体に形成され、前記容器本体の側面から離れる方向に延在する第１下側板と、
前記第１上側板及び前記第１下側板の一方と一体に形成され、前記容器本体の側面に沿う方向に延在する第１ボルトと、
前記第１上側板及び前記第１下側板の他方に形成され、前記第１ボルトが挿通される第１挿通孔と、
前記第１ボルトが前記第１挿通孔に挿通された後に前記第１ボルトに螺合する第１ナットと、を有し、
前記第２調整部材は、
前記第２上側係止片と一体に形成され、前記容器本体の側面から離れる方向に延在する第２上側板と、
前記第２下側係止片と一体に形成され、前記容器本体の側面から離れる方向に延在する第２下側板と、
前記第２上側板及び前記第２下側板の一方と一体に形成され、前記容器本体の側面に沿う方向に延在する第２ボルトと、
前記第２上側板及び前記第２下側板の他方に形成され、前記第２ボルトが挿通される第２挿通孔と、
前記第２ボルトが前記第２挿通孔に挿通された後に前記第２ボルトに螺合する第２ナットと、を有する
ことを特徴とする請求項３に記載の柱上変圧器の吊り上げ補助装置。
【発明の詳細な説明】
【技術分野】
【０００１】
本発明は、柱上変圧器の吊り上げ補助装置に関する。
【背景技術】
【０００２】
柱上変圧器を吊り上げる場合、１次側コイル、２次側コイル、絶縁油等が収容される容器本体の側面から対称的に突出する吊り耳に対して吊り上げベルト（スリングベルト）を引っ掛けて吊り上げ作業を行う。
【０００３】
ここで、柱上変圧器の吊り上げ作業中に吊り上げベルトを吊り耳から外れ難くする方法として、（１）吊り上げベルトが吊り耳と密着するようにバインドを吊り上げベルトに巻き付ける方法、（２）吊り上げベルトが吊り耳の容器本体とは反対側へずれないようにバインドを吊り耳に巻き付ける方法、（３）吊り上げベルトが容器本体と密着するように補助ベルトを吊り上げベルトに装着する方法（例えば特許文献１）等が知られている。
【先行技術文献】
【特許文献】
【０００４】
【特許文献１】特開２００７−２７６９７５号公報
【発明の概要】
【発明が解決しようとする課題】
【０００５】
しかし、上記の何れの方法を採用したとしても、吊り上げベルトに対して容器本体から離れる方向に一定以上の力が加わると、吊り上げベルトが吊り耳から外れてしまう虞があった。
【０００６】
そこで、本発明は、吊り上げベルトに対して容器本体から離れる方向に一定以上の力が加わったとしても、吊り上げベルトが吊り耳から外れることを確実に防止する柱上変圧器の吊り上げ補助装置を提供することを目的とする。
【課題を解決するための手段】
【０００７】
前述した課題を解決する主たる本発明は、容器本体の側面から突出し、前記容器本体の上側に向かう側に形成される第１上側窪みと、前記容器本体の下側に向かう側に形成される第１下側窪みと、を有する第１吊り耳と、前記容器本体の前記第１吊り耳が突出する側面とは反対側の側面から突出し、前記容器本体の上側に向かう側に形成される第２上側窪みと、前記容器本体の下側に向かう側に形成される第２下側窪みと、を有する第２吊り耳と、を備える柱上変圧器の吊り上げ補助装置であって、前記第１上側窪みに係止する第１上側係止片と、前記第１下側窪みに係止する第１下側係止片と、前記柱上変圧器の吊り上げベルトの一端に形成される第１輪が前記第１吊り耳に挿通された後に前記第１吊り耳から外れなくなるように、前記第１輪を挟んで前記第１吊り耳と対向する第１延在片と、を一体に形成し、前記第１吊り耳に装着される第１装着体と、前記第２上側窪みに係止する第２上側係止片と、前記第２下側窪みに係止する第２下側係止片と、前記柱上変圧器の吊り上げベルトの他端に形成される第２輪が前記第２吊り耳に挿通された後に前記第２吊り耳から外れなくなるように、前記第２輪を挟んで前記第２吊り耳と対向する第２延在片と、を一体に形成し、前記第２吊り耳に装着される第２装着体と、備える。
【０００８】
本発明の他の特徴については、添付図面及び本明細書の記載により明らかとなる。
【発明の効果】
【０００９】
本発明によれば、吊り上げベルトに対して容器本体から離れる方向に一定以上の力が加わったとしても、吊り上げベルトが吊り耳から外れることを確実に防止することが可能となる。
【図面の簡単な説明】
【００１０】
【図１】本実施形態に係る吊り上げ補助装置が用いられる柱上変圧器の一例を示す斜視図である。
【図２Ａ】本実施形態に係る吊り上げ補助装置が用いられる柱上変圧器の要部の一例を示す拡大斜視図である。
【図２Ｂ】本実施形態に係る吊り上げ補助装置が用いられる柱上変圧器の要部の一例を示す拡大斜視図である。
【図３Ａ】本実施形態に係る吊り上げ補助装置が用いられる柱上変圧器の要部の変形例を示す拡大斜視図である。
【図３Ｂ】本実施形態に係る吊り上げ補助装置が用いられる柱上変圧器の他の要部の変形例を示す拡大斜視図である。
【図４】本実施形態に係る吊り上げ補助装置を示す分解斜視図である。
【図５】本実施形態に係る吊り上げ補助装置を示す斜視図である。
【図６】本実施形態に係る吊り上げ補助装置が柱上変圧器に装着された様子を示す斜視図である。
【発明を実施するための形態】
【００１１】
本明細書および添付図面の記載により、少なくとも以下の事項が明らかとなる。
【００１２】
＝＝＝柱上変圧器＝＝＝
図１は、本実施形態に係る吊り上げ補助装置が用いられる柱上変圧器の一例を示す斜視図である。図２Ａは、本実施形態に係る吊り上げ補助装置が用いられる柱上変圧器の要部の一例を示す拡大斜視図である。図２Ｂは、本実施形態に係る吊り上げ補助装置が用いられる柱上変圧器の要部の一例を示す拡大斜視図である。図３Ａは、本実施形態に係る吊り上げ補助装置が用いられる柱上変圧器の要部の変形例を示す拡大斜視図である。図３Ｂは、本実施形態に係る吊り上げ補助装置が用いられる柱上変圧器の他の要部の変形例を示す拡大斜視図である。
【００１３】
柱上変圧器１００は、配電線から供給される電力を需要家で使用される電力まで降圧する電力変換装置であって、電柱における所定の高さの位置に設置される。柱上変圧器１００のための筐体は、変圧器本体や絶縁油が開口１０１を通して収容される容器本体１０２と、開口１０１を塞ぐ蓋１０３と、容器本体１０２に対して蓋１０３を着脱自在に固定する固定具１０４Ａ，１０４Ｂと、吊り耳１０５Ａ，１０５Ｂと、を含んで構成されている。
【００１４】
吊り耳１０５Ａ，１０５Ｂは、柱上変圧器１００を吊り上げる際に吊り上げベルト（スリングベルト）１０６の両端に形成される輪１０６Ａ，１０６Ｂを引っ掛けるフックとして機能する部材である。
【００１５】
吊り耳１０５Ａは、容器本体１０２の側面に突出するように設けられる。例えば、吊り耳１０５Ａは、矩形型を呈する金属板をコの字型に折り曲げ加工し、更に、金属板の内側面で囲まれる空間が容器本体１０２の上下方向に沿って貫通するように、容器本体１０２の側面のうち開口１０１寄りの側面に金属板の両端を溶接加工することによって、容器本体１０２と一体に形成される。そして、吊り耳１０５Ａには、上側開口（上側窪み）１０７Ａと下側開口（下側窪み）１０８Ａが形成される。尚、吊り耳１０５Ａにおける下側開口１０８Ａ側の形状は、水平な形状（図２Ａ）であってもよいが、吊り上げベルト１０６の輪１０６Ａが吊り耳１０５Ａから外れ難くなるように、容器本体１０２の側面から離れるにつれて容器本体１０２の下側に向かう形状（図３Ａ）であってもよい。
【００１６】
同様に、吊り耳１０５Ｂは、容器本体１０２の吊り耳１０５Ａが設けられる側面とは反対側の側面に突出するように設けられる。例えば、吊り耳１０５Ｂは、矩形型を呈する金属板をコの字型に折り曲げ加工し、金属板の内側面で囲まれる空間が容器本体１０２の上下方向に沿って貫通するように、容器本体１０２の側面のうち開口１０１寄りの側面に金属板の両端を溶接加工することによって、容器本体１０２と一体に形成される。そして、吊り耳１０５Ｂには、上側開口（上側窪み）１０７Ｂと下側開口（下側窪み）１０８Ｂが形成される。尚、吊り耳１０５Ｂにおける開口１０８Ｂ側の形状は、水平な形状（図２Ｂ）であってもよいが、吊り上げベルト１０６の輪１０６Ｂが吊り耳１０５Ｂから外れ難くなるように、容器本体１０２の側面から離れるにつれて容器本体１０２の下側に向かう形状（図３Ｂ）であってもよい。
【００１７】
＝＝＝吊り上げ補助装置＝＝＝
図４は、本実施形態に係る吊り上げ補助装置を示す分解斜視図である。図５は、本実施形態に係る吊り上げ補助装置を示す斜視図である。
【００１８】
吊り上げ補助装置１は、柱上変圧器１００を吊り上げる際に、吊り上げベルト１０６が柱上変圧器１００から外れなくなるように柱上変圧器１００に装着される装置であって、以下に説明する第１装着体２Ａ及び第２装着体２Ｂを含んで構成される。
【００１９】
第１装着体２Ａは、柱上変圧器１００を吊り上げる際に、吊り上げベルト１０６の輪１０６Ａが吊り耳１０５Ａから外れなくなるように吊り耳１０５Ａに装着される部材であって、上側係止片２１Ａ、上側板２２Ａ、下側係止片２３Ａ、下側板２４Ａ、延在片２５Ａ、ボルト２６Ａ、ナット２７Ａを含んで構成される。
【００２０】
上側係止片２１Ａは、Ｌ字型を呈し、上側開口１０７Ａにおける容器本体１０２の側面とは反対側の端に係止する片である。上側板２２Ａは、上側係止片２１Ａと一体に形成され、容器本体１０２の側面から離れる方向に延在する板である。上側板２２Ａは、後述するボルト２６Ａを挿通するための挿通孔２２１Ａを有する。上側係止片２１Ａ及び上側板２２Ａは、例えば１枚の金属板に対して打ち抜き加工と折り曲げ加工を施すことによって形成される。下側係止片２３Ａは、Ｌ字型を呈し、下側開口１０８Ａにおける容器本体１０２の側面とは反対側の端に係止する片である。下側板２４Ａは、下側係止片２３Ａと一体に形成され、容器本体１０２の側面から離れる方向に延在する板である。下側係止片２３Ａ及び下側板２４Ａは、例えば１枚の金属板に対して打ち抜き加工と折り曲げ加工を施すことによって一体に形成される。延在片２５Ａは、下側係止片２３Ａと一体に形成され、輪１０６Ａを挟んで吊り耳１０５Ａと対向するように延在する片である。下側係止片２３Ａ及び延在片２５Ａは、例えば溶接加工を施すことによって一体に形成される。尚、下側板２４Ａ及び延在片２５Ａに対して溶接加工を施してもよい。ボルト２６Ａは、円柱型を呈し、外周面に雄螺子２６１Ａを有する。ボルト２６Ａは、下側板２４Ａと一体に形成され、容器本体１０２の側面に沿う方向に延在する。下側板２４Ａ及びボルト２６Ａは、例えば溶接加工を施すことによって一体に形成される。ナット２７Ａは、内周面に雌螺子２７１Ａを有し、ボルト２６Ａが挿通孔２２１Ａに挿通された後に雄螺子２６１Ａに螺合する。
【００２１】
第２装着体２Ｂは、柱上変圧器１００を吊り上げる際に、吊り上げベルト１０６の輪１０６Ｂが吊り耳１０５Ｂから外れなくなるように吊り耳１０５Ｂに装着される部材であって、上側係止片２１Ｂ、上側板２２Ｂ、下側係止片２３Ｂ、下側板２４Ｂ、延在片２５Ｂ、ボルト２６Ｂ、ナット２７Ｂを含んで構成される。
【００２２】
上側係止片２１Ｂは、Ｌ字型を呈し、上側開口１０７Ｂにおける容器本体１０２の側面とは反対側の端に係止する片である。上側板２２Ｂは、上側係止片２１Ｂと一体に形成され、容器本体１０２の側面から離れる方向に延在する板である。上側板２２Ｂは、後述するボルト２６Ｂを挿通するための挿通孔２２１Ｂを有する。上側係止片２１Ｂ及び上側板２２Ｂは、例えば１枚の金属板に対して打ち抜き加工と折り曲げ加工を施すことによって形成される。下側係止片２３Ｂは、Ｌ字型を呈し、下側開口１０８Ｂにおける容器本体１０２の側面とは反対側の端に係止する片である。下側板２４Ｂは、下側係止片２３Ｂと一体に形成され、容器本体１０２の側面から離れる方向に延在する板である。下側係止片２３Ｂ及び下側板２４Ｂは、例えば１枚の金属板に対して打ち抜き加工と折り曲げ加工を施すことによって一体に形成される。延在片２５Ｂは、下側係止片２３Ｂと一体に形成され、輪１０６Ｂを挟んで吊り耳１０５Ｂと対向するように延在する片である。下側係止片２３Ｂ及び延在片２５Ｂは、例えば溶接加工を施すことによって一体に形成される。尚、下側板２４Ｂ及び延在片２５Ｂに対して溶接加工を施してもよい。ボルト２６Ｂは、円柱型を呈し、外周面に雄螺子２６１Ｂを有する。ボルト２６Ｂは、下側板２４Ｂと一体に形成され、容器本体１０２の側面に沿う方向に延在する。下側板２４Ｂ及びボルト２６Ｂは、例えば溶接加工を施すことによって一体に形成される。ナット２７Ｂは、内周面に雌螺子２７１Ｂを有し、ボルト２６Ｂが挿通孔２２１Ｂに挿通された後に雄螺子２６１Ｂに螺合する。
【００２３】
＝＝＝吊り上げ補助装置の装着手順＝＝＝
図６は、本実施形態に係る吊り上げ補助装置が柱上変圧器に装着された様子を示す斜視図である。尚、図６において、説明の便宜上、固定具１０４Ａ，１０４Ｂの記載を省略する。
【００２４】
先ず、第１装着体２Ａ（上側係止片２１Ａと上側板２２Ａが一体に形成された部品、下側係止片２３Ａと下側板２４Ａと延在片２５Ａとボルト２６Ａが一体に形成された部品、ナット２７Ａ）と、第２装着体２Ｂ（上側係止片２１Ｂと上側板２２Ｂが一体に形成された部品、下側係止片２３Ｂと下側板２４Ｂと延在片２５Ｂとボルト２６Ｂが一体に形成された部品、ナット２７Ｂ）と、を用意する。
【００２５】
次に、吊り上げベルト１０６の輪１０６Ａを吊り耳１０５Ａに挿通し、輪１０６Ａが吊り耳１０５Ａの下側部分に密着するように緊張を与える。
【００２６】
次に、延在片２５Ａが輪１０６Ａを挟んで吊り耳１０５Ａと対向し、更に、ボルト２６Ａが容器本体１０２の側面に沿って容器本体１０２の上側に向かうように、下側係止片２３Ａを下側開口１０８Ａにおける容器本体１０２の側面とは反対側の端に係止する。
【００２７】
次に、ボルト２６Ａを上側板２２Ａの挿通孔２２１Ａに挿通しながら、上側係止片２１Ａを上側開口１０７Ａにおける容器本体１０２の側面とは反対側の端に係止する。
【００２８】
次に、第１装着体２Ａが吊り耳１０５Ａに装着されるように、ナット２７Ａの雌螺子２７１Ａをボルト２６Ａの雄螺子２６１Ａに螺合して締め付ける。
【００２９】
これによって、輪１０６Ａは、吊り耳１０５Ａと延在片２５Ａの間に挟まれて容器本体１０２の側面から離れる方向に移動できなくなる。
【００３０】
次に、吊り上げベルト１０６の輪１０６Ｂを吊り耳１０５Ｂに挿通し、輪１０６Ｂが吊り耳１０５Ｂの下側部分に密着するように緊張を与える。
【００３１】
次に、延在片２５Ｂが輪１０６Ｂを挟んで吊り耳１０５Ｂと対向し、更に、ボルト２６Ｂが容器本体１０２の側面に沿って容器本体１０２の上側に向かうように、下側係止片２３Ｂを下側開口１０８Ｂにおける容器本体１０２の側面とは反対側の端に係止する。
【００３２】
次に、ボルト２６Ｂを上側板２２Ｂの挿通孔２２１Ｂに挿通しながら、上側係止片２１Ｂを上側開口１０７Ｂにおける容器本体１０２の側面とは反対側の端に係止する。
【００３３】
次に、第１装着体２Ｂが吊り耳１０５Ｂに装着されるように、ナット２７Ｂの雌螺子２７１Ｂをボルト２６Ｂの雄螺子２６１Ｂに螺合して締め付ける。
【００３４】
これによって、輪１０６Ｂは、吊り耳１０５Ｂと延在片２５Ｂの間に挟まれて容器本体１０２の側面から離れる方向に移動できなくなる。
【００３５】
以上より、柱上変圧器１００を吊り上げる際に吊り上げベルト１０６が吊り耳１０５Ａ，１０５Ｂから外れる不具合を確実に防止することが可能となる。
【００３６】
＝＝＝まとめ＝＝＝
本実施形態において、容器本体１０２の側面から突出し、容器本体１０２の上側に向かう側に形成される上側開口１０７Ａと、容器本体１０２の下側に向かう側に形成される下側開口１０８Ａと、を有する吊り耳１０５Ａと、容器本体１０２の吊り耳１０５Ａが突出する側面とは反対側の側面から突出し、容器本体１０２の上側に向かう側に形成される上側開口１０７Ｂと、容器本体１０２の下側に向かう側に形成される下側開口１０８Ｂと、を有する吊り耳１０５Ｂと、を備えた柱上変圧器１００のための吊り上げ補助装置１は、上側開口１０７Ａに係止する上側係止片２１Ａと、下側開口１０８Ａに係止する下側係止片２３Ａと、柱上変圧器１００の吊り上げベルト１０６の一端に形成される輪１０６Ａが吊り耳１０５Ａに挿通された後に吊り耳１０５Ａから外れなくなるように、輪１０６Ａを挟んで吊り耳１０５Ａと対向する延在片２５Ａと、を一体に形成し、吊り耳１０５Ａに装着される第１装着体２Ａと、上側開口１０７Ｂに係止する上側係止片２１Ｂと、下側開口１０８Ｂに係止する下側係止片２３Ｂと、柱上変圧器１００の吊り上げベルト１０６の他端に形成される輪１０６Ｂが吊り耳１０５Ｂに挿通された後に吊り耳１０５Ｂから外れなくなるように、輪１０６Ｂを挟んで吊り耳１０５Ｂと対向する延在片２５Ｂと、を一体に形成し、吊り耳１０５Ｂに装着される第２装着体２Ｂと、を備える。
【００３７】
そして、本実施形態によれば、吊り上げベルト１０６に対して容器本体１０２から離れる方向に一定以上の力が加わったとしても、吊り上げベルト１０６が吊り耳１０５Ａ，１０５Ｂから外れることを確実に防止することが可能となる。
【００３８】
又、本実施形態において、第１装着体２Ａは、吊り耳１０５Ａの大きさに応じて、上側係止片２１Ａと下側係止片２３Ａとの間の距離を調整可能な第１調整部材を有し、第２装着体２Ｂは、吊り耳１０５Ｂの大きさに応じて、上側係止片２１Ｂと下側係止片２３Ｂとの間の距離を調整可能な第２調整部材を有する。
【００３９】
具体的には、第１調整部材は、上側係止片２１Ａと下側係止片２３Ａとの間の距離を調整可能な第１螺子部材（ボルト２６Ａ、ナット２７Ａ）を有し、第２調整部材は、上側係止片２１Ｂと下側係止片２３Ｂとの間の距離を調整可能な第２螺子部材（ボルト２６Ｂ、ナット２７Ｂ）を有する。
【００４０】
更に具体的には、第１調整部材は、上側係止片２１Ａと一体に形成され、容器本体の側面から離れる方向に延在する上側板２２Ａと、下側係止片２３Ａと一体に形成され、容器本体の側面から離れる方向に延在する下側板２４Ａと、下側板２４Ａと一体に形成され、容器本体１０２の側面に沿う方向に延在するボルト２６Ａと、上側板２２Ａに形成され、ボルト２６Ａが挿通される挿通孔２２１Ａと、ボルト２６Ａが挿通孔２２１Ａに挿通された後にボルト２６Ａに螺合するナット２７Ａと、を有し、第２調整部材は、上側係止片２１Ｂと一体に形成され、容器本体１０２の側面から離れる方向に延在する上側板２２Ｂと、下側係止片２３Ｂと一体に形成され、容器本体１０２の側面から離れる方向に延在する下側板２４Ｂと、下側板２４Ｂと一体に形成され、容器本体１０２の側面に沿う方向に延在するボルト２６Ｂと、上側板２２Ｂに形成され、ボルト２６Ｂが挿通される挿通孔２２１Ｂと、ボルト２６Ｂが挿通孔２２１Ｂに挿通された後にボルト２６Ｂに螺合するナット２７Ｂと、を有する。
【００４１】
そして、本実施形態によれば、吊り上げ補助装置１を様々な大きさや形状を呈する吊り耳に対して確実に装着することが可能となる。
【００４２】
尚、上記の実施形態は、本発明の理解を容易にするためのものであり、本発明を限定して解釈するためのものではない。本発明は、その趣旨を逸脱することなく、変更、改良され得るとともに、本発明にはその等価物も含まれる。例えば、吊り耳の上側開口及び下側開口は容器本体の側面に沿う方向に貫通しているが、吊り耳の上側部分及び下側部分は上側係止片及び下側係止片がそれぞれ係止可能な程度に窪んでいるだけでもよい。又、吊り耳は、容器本体１０２に対して蓋１０３を固定するための固定具１０４Ａ，１０４Ｂが兼ねてもよい。
【符号の説明】
【００４３】
１  吊り上げ補助装置
２Ａ  第１装着体
２Ｂ  第２装着体
２１Ａ，２１Ｂ  上側係止片
２２Ａ，２２Ｂ  上側板
２３Ａ，２３Ｂ  下側係止片
２４Ａ，２４Ｂ  下側板
２５Ａ，２５Ｂ  延在片
２６Ａ，２６Ｂ  ボルト
２７Ａ，２７Ｂ  ナット
１００  柱上変圧器
１０１  開口
１０２  容器本体
１０３  蓋
１０４Ａ，１０４Ｂ  固定具
１０５Ａ，１０５Ｂ  吊り耳
１０６  吊り上げベルト
１０６Ａ，１０６Ｂ  輪
１０７Ａ，１０７Ｂ  上側開口
１０８Ａ，１０８Ｂ  下側開口
【図１】
2019137525.tif 000003
【図２Ａ】
2019137525.tif 000004
【図２Ｂ】
2019137525.tif 000005
【図３Ａ】
2019137525.tif 000006
【図３Ｂ】
2019137525.tif 000007
【図４】
2019137525.tif 000008
【図５】
2019137525.tif 000009
【図６】
2019137525.tif 000010